(57)【要約】【課題】商品の在庫状況や納期に関する情報をリアルタイムに提供する。【解決手段】受付管理ホスト３は、在庫照会情報及び納期照会情報が提供されている商品について、在庫ボタンを情報提供端末２にて表示させる。情報提供端末２にて在庫ボタンの押下が指示されると、在庫確認要求が入力され、ＷＡＮ７及びインターネット６を介して、押下された在庫ボタンのリンク先として設定されている仕入先データ管理装置５に対してウェブアクセスする。これにより、在庫確認要求が情報提供端末２から仕入先データ管理装置５へ送られる。在庫確認要求を受けた仕入先データ管理装置５は、在庫照会情報や納期照会情報に基づいて、情報提供端末２にて在庫や納期に関する最新の情報を提供可能とする。【選択図】　図１
2004115249.tif 000002
【特許請求の範囲】
【請求項１】
商品に関する情報を提供するための情報提供端末と、前記情報提供端末にて提供される情報をとりまとめる管理ホストと、商品の仕入先に配置された仕入先データ管理装置とを備えるネットワークシステムであって、
前記管理ホストは、仕入先から納入される商品に関する情報を、前記情報提供端末にて各商品の在庫確認要求を入力可能として提供し、
前記情報提供端末は、入力された在庫確認要求に応答して前記仕入先データ管理装置にウェブアクセスし、在庫確認要求に対応する商品の在庫照会情報に基づいて前記仕入先データ管理装置から提供される情報であって、仕入先における商品の在庫状況に関する情報を、確認可能に出力する
ことを特徴とするネットワークシステム。
【請求項２】
前記情報提供端末は、在庫確認要求に応答して前記仕入先データ管理装置にウェブアクセスした後、在庫確認要求に対応する商品の納期照会情報に基づいて前記仕入先データ管理装置から提供される商品の納入予定日又は納入予定日不明の理由を、確認可能に出力する
ことを特徴とする請求項１に記載のネットワークシステム。
【請求項３】
前記仕入先データ管理装置は、
仕入先における商品の在庫状況を示す在庫照会情報を入力する入力手段と、
前記入力手段により入力された在庫照会情報を格納する在庫データベースと、前記情報提供端末からのウェブアクセスに応答して、前記在庫データベースに格納されている在庫照会情報に基づき、仕入先における商品の在庫状況に関する情報を提供可能とする制御処理手段とを備える
ことを特徴とする請求項１又は２に記載のネットワークシステム。
【請求項４】
前記仕入先データ管理装置は、
仕入先における商品の入庫予定日を示す納期照会情報を入力する入力手段と、前記入力手段により入力された納期照会情報を格納する納期データベースと、前記情報提供端末からのウェブアクセスに応答して、前記納期データベースに格納されている納期照会情報に基づき、商品の納入予定日又は納入予定日不明の理由を、前記情報提供端末にて確認可能とする制御処理手段とを備える
ことを特徴とする請求項２に記載のネットワークシステム。
【請求項５】
商品を発注するための発注指示を受け付ける受付端末と、
前記管理ホストと前記仕入先データ管理装置との間に介在する発注管理サーバーと、
仕入先から販売業者に納入される商品に関する商品情報を格納する商品情報データベースと、
前記受付端末で受け付けた発注指示にて発注が指示された商品を発注するための発注情報を格納する発注情報データベースとを、さらに備え、
前記管理ホストは、前記発注管理サーバーから定期的に商品情報を取得して前記商品データベースに格納させ、前記情報提供端末からの閲覧要求に応答して前記商品データベースに格納されている商品情報を前記情報提供端末に提供し、前記受付端末における発注指示の受け付けに応答して発注情報を前記発注情報データベースに格納させ、前記発注情報データベースに格納されている発注情報を定期的に前記発注管理サーバーへ転送し、
前記発注管理サーバーは、前記仕入先データ管理装置からの商品情報と、前記管理ホストからの発注情報とを、蓄積し、
前記仕入先データ管理装置は、商品情報を入力して前記発注管理サーバーに送り、前記発注サーバーに蓄積されている発注情報を受け取って仕入先に提供可能とする
ことを特徴とする請求項１から４のいずれか１項に記載のネットワークシステム。
【請求項６】
商品を発注するための発注指示を受け付ける受付端末と、商品に関する情報を提供するための情報提供端末と、商品の仕入先に配置された仕入先データ管理装置と、管理ホストとを備えるネットワークシステムであって、
前記管理ホストは、前記受付端末からの発注指示により発注された商品の納期確認要求を前記情報提供端末から受け取り、納期確認要求に応答して前記仕入先データ管理装置にウェブアクセスし、納期確認要求に対応する商品の納期照会情報を前記仕入先データ管理装置から取得し、取得した納期照会情報に基づいて、商品の納入予定日又は納入予定日不明の理由を前記情報提供端末にて確認可能に提供する
ことを特徴とするネットワークシステム。
【請求項７】
前記管理ホストは、前記受付端末で受け付けた発注指示にて発注が指示された商品を発注するための発注情報を作成し、発注情報の作成時点より、発注情報の全部又は一部を前記仕入先データ管理装置に対して開示可能に提供する
ことを特徴とする請求項６に記載のネットワークシステム。
【請求項８】
商品に関する情報を提供するための情報提供端末から商品の在庫確認要求を受け取り、当該在庫確認要求に応答して、商品の仕入先に配置された仕入先データ管理装置にウェブアクセスし、在庫確認要求に対応する商品の在庫照会情報を前記仕入先データ管理装置から取得し、取得した在庫照会情報に基づいて、仕入先における商品の在庫状況に関する情報を、前記情報提供端末にて確認可能に提供する
ことを特徴とする管理ホスト装置。
【請求項９】
在庫確認要求に対応する商品の在庫照会情報とともに納期照会情報を前記仕入先データ管理装置から取得し、取得した納期照会情報に基づいて、商品の納入予定日又は納入予定日不明の理由を前記情報提供端末にて確認可能に提供する
ことを特徴とする請求項８に記載の管理ホスト装置。
【請求項１０】
商品を発注するための受付端末からの発注指示により発注された商品の納期確認要求を、商品に関する情報を提供するための情報提供端末から受け取り、当該納期確認要求に応答して、商品の仕入先に配置された仕入先データ管理装置にウェブアクセスし、納期確認要求に対応する商品の納期照会情報を前記仕入先データ管理装置から取得し、取得した納期照会情報に基づいて、商品の納入予定日又は納入予定日不明の理由を、前記情報提供端末にて確認可能に提供する
ことを特徴とする管理ホスト装置。
【請求項１１】
商品に関する情報を提供するための情報提供端末と、前記情報提供端末にて提供される情報をとりまとめる管理ホストと、商品の仕入先に配置された仕入先データ管理装置とを備えるネットワークシステムにおける情報提供方法であって、前記管理ホストが、仕入先から納入される商品に関する情報を、前記情報提供端末にて各商品の在庫確認要求を入力可能として提供し、
前記情報提供端末が、入力された在庫確認要求に応答して前記仕入先データ管理装置にウェブアクセスし、在庫確認要求に対応する商品の在庫照会情報に基づいて前記仕入先データ管理装置から提供される情報であって、仕入先における商品の在庫状況に関する情報を、確認可能に出力する
ことを特徴とする情報提供方法。
【請求項１２】
商品に関する情報を提供するための情報提供端末と、商品を発注するための発注指示を受け付ける受付端末と、商品の仕入先に配置された仕入先データ管理装置と、管理ホストとを備えるネットワークシステムにおける情報提供方法であって、
前記管理ホストが、前記受付端末からの発注指示により発注された商品の納期確認要求を前記情報提供端末から受け取り、納期確認要求に応答して前記仕入先データ管理装置にウェブアクセスし、納期確認要求に対応する商品の納期照会情報を前記仕入先データ管理装置から取得し、取得した納期照会情報に基づいて、商品の納入予定日又は納入予定日不明の理由を前記情報提供端末にて確認可能に提供する
ことを特徴とする情報提供方法。
【請求項１３】
商品を発注するための発注指示を受け付ける受付端末からの発注指示をとりまとめる管理ホストとして機能するコンピュータに、
情報提供端末から商品の在庫確認要求を受け取る第１ステップと、
在庫確認要求に応答して、仕入先に配置された仕入先データ管理装置にウェブアクセスする第２ステップと、
在庫確認要求に対応する商品の在庫照会情報を、前記仕入先データ管理装置から取得する第３ステップと、
取得した在庫照会情報に基づいて、仕入先における商品の在庫状況に関する情報を、前記情報提供端末にて確認可能に提供する第４ステップ
からなる処理を実行させるためのプログラム。
【請求項１４】
前記第３ステップは、在庫確認要求に対応する商品の納期照会情報を、前記仕入先データ管理装置から取得するステップを含み、
前記第４ステップは、取得した納期照会情報に基づいて、商品の納入予定日又は納入予定日不明の理由を、前記情報提供端末にて確認可能に提供するステップを含む
ことを特徴とする請求項１３に記載のプログラム。
【請求項１５】
商品を発注するための発注指示を受け付ける受付端末からの発注指示をとりまとめる管理ホストとして機能するコンピュータに、
前記受付端末からの発注指示により発注された商品の納期確認要求を所定の情報提供端末から受け取る第１ステップと、
納期確認要求に応答して、仕入先に配置された仕入先データ管理装置にウェブアクセスする第２ステップと、
納期確認要求に対応する商品の納期照会情報を前記仕入先データ管理装置から取得する第３ステップと、
取得した納期照会情報に基づいて、商品の納入予定日又は納入予定日不明の理由を前記情報提供端末にて確認可能に提供する第４ステップ
からなる処理を実行させるためのプログラム。
【発明の詳細な説明】
【０００１】
【発明の属する技術分野】
この発明は、仕入先における商品に関する情報を販売店舗にて提供可能とするネットワークシステムに係り、特に、商品の在庫状況や納期に関する情報をリアルタイムに提供するネットワークシステムに関する。
【０００２】
【従来の技術】
従来、メーカーやベンダーといった販売商品の仕入先における商品の在庫状況を示す仕入先在庫情報や、仕入先から商品が納入される予定日を示す納期情報は、例えば毎日所定の時刻が到来するごとに実施されるバッチ処理により管理ホストに集約され、販売店舗などに配置された情報提供端末等へ提供可能としている（例えば、特許文献１参照。）。
【０００３】
【特許文献１】
特開２００２−１０９２９８号公報（段落００２６、００５３）
【０００４】
【発明が解決しようとする課題】
上記従来技術によると、仕入先における商品の在庫状況や商品の納入予定日が、仕入先で入力されてから情報提供端末へ提供可能となるまでに、ある程度の時間が必要となり、時々刻々変化する在庫状況や納入予定に対応できないことがある。
他方、商品の発注や在庫確認等に必要な全ての情報をリアルタイムに提供しようとすると、ネットワーク通信における伝送容量や、端末、管理ホストなどのマシンスペックの不足が、大きな制約となる。
【０００５】
この発明は、上記実状に鑑みてなされたものであり、仕入先における在庫状況あるいは商品の納入予定日に関する情報を、リアルタイムに提供可能とするネットワークシステムを提供することを目的とする。
【０００６】
【課題を解決するための手段】
上記目的を達成するために、この発明の第１の観点に係るネットワークシステムは、
商品に関する情報を提供するための情報提供端末と、前記情報提供端末にて提供される情報をとりまとめる管理ホストと、商品の仕入先に配置された仕入先データ管理装置とを備えるネットワークシステムであって、
前記管理ホストは、仕入先から納入される商品に関する情報を、前記情報提供端末にて各商品の在庫確認要求を入力可能として提供し、
前記情報提供端末は、入力された在庫確認要求に応答して前記仕入先データ管理装置にウェブアクセスし、在庫確認要求に対応する商品の在庫照会情報に基づいて前記仕入先データ管理装置から提供される情報であって、仕入先における商品の在庫状況に関する情報を、確認可能に出力する
ことを特徴とする。この発明によれば、情報提供端末が仕入先データ管理装置にウェブアクセスすることにより、商品の在庫に関する情報がリアルタイムに提供される。
【０００７】
前記情報提供端末は、在庫確認要求に応答して前記仕入先データ管理装置にウェブアクセスした後、在庫確認要求に対応する商品の納期照会情報に基づいて前記仕入先データ管理装置から提供される商品の納入予定日又は納入予定日不明の理由を、確認可能に出力してもよい。
【０００８】
前記仕入先データ管理装置は、
仕入先における商品の在庫状況を示す在庫照会情報を入力する入力手段と、
前記入力手段により入力された在庫照会情報を格納する在庫データベースと、前記情報提供端末からのウェブアクセスに応答して、前記在庫データベースに格納されている在庫照会情報に基づき、仕入先における商品の在庫状況に関する情報を提供可能とする制御処理手段とを備えてもよい。
【０００９】
前記仕入先データ管理装置は、
仕入先における商品の入庫予定日を示す納期照会情報を入力する入力手段と、前記入力手段により入力された納期照会情報を格納する納期データベースと、前記情報提供端末からのウェブアクセスに応答して、前記納期データベースに格納されている納期照会情報に基づき、商品の納入予定日又は納入予定日不明の理由を、前記情報提供端末にて確認可能とする制御処理手段とを備えてもよい。
【００１０】
商品を発注するための発注指示を受け付ける受付端末と、
前記管理ホストと前記仕入先データ管理装置との間に介在する発注管理サーバーと、
仕入先から販売業者に納入される商品に関する商品情報を格納する商品情報データベースと、
前記受付端末で受け付けた発注指示にて発注が指示された商品を発注するための発注情報を格納する発注情報データベースとを、さらに備え、
前記管理ホストは、前記発注管理サーバーから定期的に商品情報を取得して前記商品データベースに格納させ、前記情報提供端末からの閲覧要求に応答して前記商品データベースに格納されている商品情報を前記情報提供端末に提供し、前記受付端末における発注指示の受け付けに応答して発注情報を前記発注情報データベースに格納させ、前記発注情報データベースに格納されている発注情報を定期的に前記発注管理サーバーへ転送し、
前記発注管理サーバーは、前記仕入先データ管理装置からの商品情報と、前記管理ホストからの発注情報とを、蓄積し、
前記仕入先データ管理装置は、商品情報を入力して前記発注管理サーバーに送り、前記発注サーバーに蓄積されている発注情報を受け取って仕入先に提供可能とするものでもよい。
【００１１】
この発明の第２の観点に係るネットワークシステムは、
商品を発注するための発注指示を受け付ける受付端末と、商品に関する情報を提供するための情報提供端末と、商品の仕入先に配置された仕入先データ管理装置と、管理ホストとを備えるネットワークシステムであって、
前記管理ホストは、前記受付端末からの発注指示により発注された商品の納期確認要求を前記情報提供端末から受け取り、納期確認要求に応答して前記仕入先データ管理装置にウェブアクセスし、納期確認要求に対応する商品の納期照会情報を前記仕入先データ管理装置から取得し、取得した納期照会情報に基づいて、商品の納入予定日又は納入予定日不明の理由を前記情報提供端末にて確認可能に提供する
ことを特徴とする。この発明によれば、管理ホストが仕入先データ管理装置にウェブアクセスして納期照会情報を取得するので、商品の納期に関する情報がリアルタイムに提供される。
【００１２】
前記管理ホストは、前記受付端末で受け付けた発注指示にて発注が指示された商品を発注するための発注情報を作成し、発注情報の作成時点より、発注情報の全部又は一部を前記仕入先データ管理装置に対して開示可能に提供するものでもよい。
【００１３】
この発明の第３の観点に係る管理ホスト装置は、
商品に関する情報を提供するための情報提供端末から商品の在庫確認要求を受け取り、当該在庫確認要求に応答して、商品の仕入先に配置された仕入先データ管理装置にウェブアクセスし、在庫確認要求に対応する商品の在庫照会情報を前記仕入先データ管理装置から取得し、取得した在庫照会情報に基づいて、仕入先における商品の在庫状況に関する情報を、前記情報提供端末にて確認可能に提供する
ことを特徴とする。
【００１４】
さらに、在庫確認要求に対応する商品の在庫照会情報とともに納期照会情報を前記仕入先データ管理装置から取得し、取得した納期照会情報に基づいて、商品の納入予定日又は納入予定日不明の理由を前記情報提供端末にて確認可能に提供するものでもよい。
【００１５】
この発明の第４の観点に係る管理ホスト装置は、
商品を発注するための受付端末からの発注指示により発注された商品の納期確認要求を、商品に関する情報を提供するための情報提供端末から受け取り、当該納期確認要求に応答して、商品の仕入先に配置された仕入先データ管理装置にウェブアクセスし、納期確認要求に対応する商品の納期照会情報を前記仕入先データ管理装置から取得し、取得した納期照会情報に基づいて、商品の納入予定日又は納入予定日不明の理由を、前記情報提供端末にて確認可能に提供する
ことを特徴とする。
【００１６】
この発明の第５の観点に係る情報提供方法は、
商品に関する情報を提供するための情報提供端末と、前記情報提供端末にて提供される情報をとりまとめる管理ホストと、商品の仕入先に配置された仕入先データ管理装置とを備えるネットワークシステムにおける情報提供方法であって、前記管理ホストが、仕入先から納入される商品に関する情報を、前記情報提供端末にて各商品の在庫確認要求を入力可能として提供し、
前記情報提供端末が、入力された在庫確認要求に応答して前記仕入先データ管理装置にウェブアクセスし、在庫確認要求に対応する商品の在庫照会情報に基づいて前記仕入先データ管理装置から提供される情報であって、仕入先における商品の在庫状況に関する情報を、確認可能に出力する
ことを特徴とする。
【００１７】
この発明の第６の観点に係る情報提供方法は、
商品に関する情報を提供するための情報提供端末と、商品を発注するための発注指示を受け付ける受付端末と、商品の仕入先に配置された仕入先データ管理装置と、管理ホストとを備えるネットワークシステムにおける情報提供方法であって、
前記管理ホストが、前記受付端末からの発注指示により発注された商品の納期確認要求を前記情報提供端末から受け取り、納期確認要求に応答して前記仕入先データ管理装置にウェブアクセスし、納期確認要求に対応する商品の納期照会情報を前記仕入先データ管理装置から取得し、取得した納期照会情報に基づいて、商品の納入予定日又は納入予定日不明の理由を前記情報提供端末にて確認可能に提供する
ことを特徴とする。
【００１８】
この発明の第７の観点に係るプログラムは、
商品を発注するための発注指示を受け付ける受付端末からの発注指示をとりまとめる管理ホストとして機能するコンピュータに、
情報提供端末から商品の在庫確認要求を受け取る第１ステップと、
在庫確認要求に応答して、仕入先に配置された仕入先データ管理装置にウェブアクセスする第２ステップと、
在庫確認要求に対応する商品の在庫照会情報を、前記仕入先データ管理装置から取得する第３ステップと、
取得した在庫照会情報に基づいて、仕入先における商品の在庫状況に関する情報を、前記情報提供端末にて確認可能に提供する第４ステップ
からなる処理を実行させる。
【００１９】
前記第３ステップは、在庫確認要求に対応する商品の納期照会情報を、前記仕入先データ管理装置から取得するステップを含み、
前記第４ステップは、取得した納期照会情報に基づいて、商品の納入予定日又は納入予定日不明の理由を、前記情報提供端末にて確認可能に提供するステップを含むものでもよい。
【００２０】
この発明の第８の観点に係るプログラムは、
商品を発注するための発注指示を受け付ける受付端末からの発注指示をとりまとめる管理ホストとして機能するコンピュータに、
前記受付端末からの発注指示により発注された商品の納期確認要求を所定の情報提供端末から受け取る第１ステップと、
納期確認要求に応答して、仕入先に配置された仕入先データ管理装置にウェブアクセスする第２ステップと、
納期確認要求に対応する商品の納期照会情報を前記仕入先データ管理装置から取得する第３ステップと、
取得した納期照会情報に基づいて、商品の納入予定日又は納入予定日不明の理由を前記情報提供端末にて確認可能に提供する第４ステップ
からなる処理を実行させる。
【００２１】
【発明の実施の形態】
以下に、図面を参照して、この発明の実施の形態に係るネットワークシステムについて詳細に説明する。
【００２２】
図１は、この発明の実施の形態に係るネットワークシステムの構成を示す図である。
図示するように、このネットワークシステムは、受注品を販売する販社の販売店舗に配置された受付端末１及び情報提供端末２と、運用センタに配置された受付管理ホスト３と、発注管理センタに配置された発注管理サーバー４と、例えばメーカーやベンダーといった、販売商品の仕入先に配置された少なくとも１つの仕入先データ管理装置５とを備えている。ここで、図１に示す例では、受付端末１と情報提供端末２がＷＡＮ（Ｗｉｄｅ　Ａｒｅａ　Ｎｅｔｗｏｒｋ）７を介して受付管理ホスト３に接続されている。また、ＷＡＮ７は、例えばゲートウェイとして機能するコンピュータシステム等（図示せず）を介して、インターネット６に接続されている。
【００２３】
受付端末１は、購買担当者から商品を発注する旨の指示を受け付けるための端末であり、例えばＷＡＮ７により受付管理ホスト３に接続され、図２に示すように、制御処理部１０と、入力部１１と、表示部１２と、通信部１３とを備えている。
【００２４】
制御処理部１０は、例えばＣＰＵ（Ｃｅｎｔｒａｌ　Ｐｒｏｃｅｓｓｉｎｇ　Ｕｎｉｔ）等から構成され、この受付端末１全体の動作を制御するためのものであり、例えば、入力部１１から入力された商品の発注指示を示す画像を表示部１２に表示させ、発注指示の内容を確認可能とする。また、制御処理部１０は、発注指示を、通信部１３を介して受付管理ホスト３に送信させる。
【００２５】
入力部１１は、例えばキーボード、マウス等から構成され、購買担当者等の操作により商品を発注するための発注指示を入力する。
【００２６】
表示部１２は、例えばＣＲＴ（Ｃａｔｈｏｄｅ　Ｒａｙ　Ｔｕｂｅ）ディスプレイ、ＬＣＤ（Ｌｉｑｕｉｄ　Ｃｒｙｓｔａｌ　Ｄｉｓｐｌａｙ）等から構成され、入力部１１から入力された発注指示を確認するための画像を表示する。
【００２７】
通信部１３は、制御処理部１０の制御に従って受付管理ホスト３との間で通信を行い、発注指示を送信するためのものである。
【００２８】
情報提供端末２は、受付管理ホスト３にて管理されている販売商品に関する情報等を閲覧可能とするためのものであり、ＷＡＮ７により受付管理ホスト３に接続され、図３に示すように、制御処理部２０と、入力部２１と、表示部２２と、通信部２３とを備えている。
また、情報提供端末２は、ＷＡＮ７及びインターネット６を介して、仕入先に配置された仕入先データ管理装置５との間でリアルタイムに連携し、仕入先における商品の在庫状況を示す情報や、発注商品の納期を確認可能とするための情報等を取得する。
【００２９】
制御処理部２０は、例えばＣＰＵ等から構成され、この情報提供端末２全体の動作を制御するためのものであり、入力部２１から入力された情報の閲覧指示に応答して、通信部２３を介して受付管理ホスト３から情報の提供を受け、表示部２２に表示させる。
【００３０】
入力部２１は、例えばキーボード、マウス等から構成され、受付管理ホスト３や仕入先データ管理装置５などに蓄積されている情報を閲覧するための指示を入力する。例えば、商品販売者が表示部２２に表示された画像に従って入力部２１を操作することにより、商品の在庫状況に対する確認要求（在庫確認要求）や発注商品の納期についての確認要求（納期確認要求）などを入力して仕入先データ管理装置５へ送るための指令が制御処理部２０に供給される。
【００３１】
表示部２２は、例えばＣＲＴディスプレイ、ＬＣＤ等から構成され、制御処理部２０の制御に従って、受付管理ホスト３から取得した情報などを示す画像を表示して出力するためのものである。
【００３２】
通信部２３は、制御処理部２０の制御に従って受付管理ホスト３との間で通信を行い、商品の納入予定日や在庫状況等を示す各種の情報を取得するためのものである。
【００３３】
受付管理ホスト３は、受付端末１にて入力された発注指示をとりまとめて後述の発注情報を作成したり、この発注情報を発注管理サーバー４に転送したりするためのコンピュータである。また、受付管理ホスト３は、発注管理サーバー４に蓄積された仕入先から納入される商品に関する情報（商品情報）等を取得し、情報提供端末２にて閲覧可能とするように記憶する。
【００３４】
受付管理ホスト３は、図４に示すように、制御処理部３０と、記憶部３１と、通信部３２とを備えている。
制御処理部３０は、受付管理ホスト３全体の動作を制御するためのものであり、通信部３２を介して受付端末１から発注指示を受けると、指示内容に応じた発注情報を作成して記憶部３１に記憶する。また、制御処理部３０は、定期的に、例えば毎日所定の時刻が到来するごとに、通信部３２を介して発注管理サーバー４にアクセスし、商品情報を取得して記憶部３１に記憶させるとともに、記憶部３１に記憶されている発注情報を発注管理サーバー４に転送する。
さらに、制御処理部３０は、インターネット６上にて仕入先ごとのアクセス管理を施すなどして、発注情報の全部又は一部を、発注情報の作成時点から、仕入先データ管理装置５に対して開示可能として提供する。一方、制御処理部３０は、各々の仕入先データ管理装置５からインターネット６を介して、在庫照会情報や納期照会情報等を通信部３２により取得してもよい。
【００３５】
記憶部３１は、例えば磁気ディスク記録装置等から構成され、発注情報データベース３１Ａと、商品情報データベース３１Ｂとを備える。
【００３６】
発注情報データベース３１Ａは、制御処理部３０が受付端末１から送られた発注指示に基づいて作成した発注情報を格納するためのデータベースである。例えば、発注情報データベース３１Ａは、図５に示すように、「注文番号」、「依頼番号」、「商品コード」、「仕入先コード」、「注文数量」、「販社コード」、「お客様コード」、「発注日」等のデータを記憶することにより発注情報を格納する。
【００３７】
商品情報データベース３１Ｂは、制御処理部３０が通信部３２を介して発注管理サーバー４から取得した商品情報を格納し、情報提供端末２に提供可能とするためのデータベースである。例えば、商品情報データベース３１Ｂは、図６に示すように、「仕入先コード」、「商品コード」、「商品名」、「メーカー名」、「ベンダー名」、「希望価格」、「仕切価格」等のデータを記憶することにより商品情報を格納する。
【００３８】
通信部３２は、制御処理部３０の制御に従って、受付端末１、情報提供端末２及び発注管理サーバー４との間で通信して各種の情報を送受信するためのものである。
【００３９】
発注管理サーバー４は、仕入先データ管理装置５と受付管理ホスト３との間で送受信される発注情報や商品情報等を管理するためのものであり、図７に示すように、制御処理部４０と、記憶部４１と、通信部４２とを備えている。
【００４０】
制御処理部４０は、発注管理サーバー４全体の動作を制御するためのものであり、例えばＣＰＵ等から構成され、インターネット等のネットワーク（図示せず）に接続されている。制御処理部４０は、例えば、通信部４２を介して受付管理ホスト３から受けた発注情報などを読み取り、発注情報を仕入先ごとに振り分けて記憶部４１に蓄積する。また、制御処理部４０は、通信部４２を介して仕入先データ管理装置５からのアクセスを受け付け、仕入先データ管理装置５に提供するための発注情報などを記憶部４１から取り出し、通信部４２を介して送信させる。
他方、制御処理部４０は、仕入先データ管理装置５から送られた商品情報などを記憶部４１に蓄積し、受付管理ホスト３からのアクセスに応答して提供可能とする。
【００４１】
記憶部４１は、例えば磁気ディスク記録装置等から構成され、仕入先との間で送受信する発注情報や商品情報等を記憶するためのものである。例えば、記憶部４１には、仕入先ごとにメールボックスが設けられ、仕入先データ管理装置５に送信する発注情報を仕入先ごとに振り分けて記憶する。
【００４２】
通信部４２は、制御処理部４０の制御に従って、受付管理ホスト３や仕入先データ管理装置５との間で通信して各種の情報を送受信するためのものである。
【００４３】
仕入先データ管理装置５は、例えばメーカーやベンダーといった仕入先に配置され、販社との間で販売商品に関する情報を送受信するためのコンピュータであり、インターネット６等のネットワークに接続されている。仕入先データ管理装置５は、図８に示すように、制御処理部５０と、記憶部５１と、入力部５２と、表示部５３と、通信部５４とを備えている。
【００４４】
制御処理部５０は、例えばＣＰＵ等から構成され、仕入先データ管理装置５全体の動作を制御するためのものである。例えば、制御処理部５０は、入力部５２の操作に応答して、記憶部５１に記憶されているメール配信プログラム５１Ａを実行する。この際、制御処理部５０は、所定のプロトコルを用いることにより、通信部５４を介して発注管理サーバー４にアクセスする。これにより、制御処理部５０は、例えばＦＤ（図示せず）等から読み出した商品情報などを、発注管理サーバー４にアップロードすることができる。また、制御処理部５０は、発注管理サーバー４から発注情報をダウンロードして、ＦＤ等に記録することができる。
さらに、制御処理部５０は、通信部５４によりインターネット６を介してＷＡＮ７に接続された情報提供端末２とリアルタイムに連携することにより、情報提供端末２からのウェブアクセスに応答して、記憶部５１に格納されている在庫照会情報や納期照会情報に基づく各種の情報を提供可能とする。
【００４５】
記憶部５１は、例えば磁気ディスク記録装置、半導体メモリ等から構成され、制御処理部５０が実行するプログラムやデータを記憶する。例えば、記憶部５１は、発注管理サーバー４に情報をアップロードし、かつ、発注管理サーバー４から情報をダウンロードするためのメール配信プログラム５１Ａを記憶する。また、記憶部５１は、在庫データベース５１Ｂと、納期データベース５１Ｃとを備える。
【００４６】
在庫データベース５１Ｂは、仕入先データ管理装置５が配置された仕入先における商品の在庫状況を管理するために用いるデータベースである。例えば、在庫データベース５１Ｂは、図９に示すように、「商品コード」、「メーカ型番」、「在庫数量」、「最終更新日時」等のデータを記憶することにより在庫照会情報を格納する。
【００４７】
納期データベース５１Ｃは、仕入先データ管理装置５が配置された仕入先における商品の入庫予定状況を管理するために用いるデータベースである。例えば、納期データベース５１Ｃは、図１０に示すように、「商品コード」、「入庫予定日」、「入庫予定数量」、「納期回答日時」等のデータを記憶することにより納期照会情報を格納する。
【００４８】
入力部５２は、例えばキーボード、マウス等から構成され、仕入先データ管理装置５に動作を指示するための指示情報を入力するためのものである。
【００４９】
表示部５３は、例えばＣＲＴディスプレイ、ＬＣＤ等から構成され、例えば制御処理部５０がメール配信プログラム５１Ａを実行して各種の情報を発注管理サーバー４にアップロードする際の処理過程を示す画像や、在庫データベース５１Ｂ及び納期データベース５１Ｃに各種情報を登録する際の処理過程を示す画像等を表示するためのものである。
【００５０】
通信部５４は、制御処理部５０の制御に従って、情報提供端末２や受付管理ホスト３あるいは発注管理サーバー４との間で通信して各種の情報を送受信するためのものである。
【００５１】
以下に、この発明の実施の形態に係るネットワークシステムの動作を説明する。
このネットワークシステムでは、情報提供端末２が仕入先データ管理装置５とリアルタイムに連携して在庫照会情報を取得することにより、仕入先における在庫や納入予定日などに関して、商品を注文する時点での最新情報を提供することができる。また、このネットワークシステムでは、情報提供端末２が仕入先データ管理装置５とリアルタイムに連携して納期照会情報を取得することにより、発注した商品の納期に関する情報をリアルタイムに提供することが可能となる。
【００５２】
このネットワークシステム上で販売される商品に関する情報を提供するために、仕入先データ管理装置５は、入力部５２の操作に応答して、例えばＦＤ等に記録された表形式のデータ交換フォーマット（例えば、ＣＳＶ形式）のデータを読み取り、商品情報の入力を受け付ける。この際、制御処理部５０は、メール配信プログラム５１Ａを実行することにより通信部５４を制御して、入力された商品情報を電子メールにて発注管理サーバー４に送らせる。
【００５３】
発注管理サーバー４は、仕入先データ管理装置５から電子メールを受けると、例えば制御処理部４０が、受信した電子メールから商品情報が格納されたファイルを抽出し、記憶部４１に記憶させて蓄積させる。
【００５４】
また、仕入先データ管理装置５は、各商品の在庫についての在庫照会情報や、入庫予定についての納期照会情報などが入力されれば、それぞれの情報を、在庫データベース５１Ｂと、納期データベース５１Ｃとに格納し、受付管理ホスト３からのウェブアクセスに応答して提供可能とする。
【００５５】
受付管理ホスト３は、発注管理サーバー４に定期的にアクセスして、記憶部４１に新たに蓄積された商品情報の転送を指示する転送命令を送る。発注管理サーバー４の制御処理部４０は、通信部４２を介して受付管理ホスト３からの転送命令を受けると、記憶部４１に蓄積されている商品情報を取り出し、通信部４２を介して受付管理ホスト３に送らせる。
受付管理ホスト３は、発注管理サーバー４に蓄積されていた商品情報を取得すると、これを商品情報データベース３１Ｂに格納する。
【００５６】
商品情報データベース３１Ｂに格納された商品情報は、情報提供端末２からの閲覧要求に従って提供可能である。
すなわち、情報提供端末２において、入力部２１により商品情報の閲覧が指示されると、制御処理部２０は、通信部２３を介して受付管理ホスト３に商品情報の閲覧要求を送らせる。受付管理ホスト３は、情報提供端末２から商品情報の閲覧要求を受けると、制御処理部３０が商品情報データベース３１Ｂから商品情報を取り出し、通信部３２を介して情報提供端末２に返送させる。これにより、情報提供端末２では、受付管理ホスト３から返送された商品情報を表示部２２に表示させるなどして、営業担当者等に提供することができる。
【００５７】
例えば、情報提供端末２は、閲覧要求の一種として、入力部２１からの入力に従った条件からなる検索要求を受付管理ホスト３に送る。受付管理ホスト３では、検索要求を受けた制御処理部３０が商品情報データベース３１Ｂを検索し、検索の結果得られた商品情報を示すＷＥＢページを作成する。受付管理ホスト３は、作成したＷＥＢページを情報提供端末２に送って表示部２２に表示させ、検索結果を商品販売者に提供する。
【００５８】
この結果、図１１に例示するような商品閲覧ページＰ１が表示部２２に表示される。この際、商品閲覧ページＰ１には、検索結果欄Ｃ１にて、リアルタイムに在庫状況を確認可能な各商品と対応付けられて、在庫ボタンＢＢが表示される。図１２は、受付管理ホスト３にて商品閲覧ページＰ１となるＷＥＢページが作成される際に制御処理部３０が実行する処理の一例を示すフローチャートである。
【００５９】
図１２に示す処理において、制御処理部３０は、まず、商品情報データベース３１Ｂを検索した結果として得られた各商品の仕入先コードを読み取る（ステップＳ１）。制御処理部３０は、読み取った仕入先コードに対応する仕入先に仕入先データ管理装置５が配置されているか否かを判別し、各商品について、在庫照会情報及び納期照会情報の提供の有無を検出する（ステップＳ２）。
この後、制御処理部３０は、各商品について、在庫照会情報及び納期照会情報の有無に対応して、在庫ボタンＢＢの表示／非表示を切り換える（ステップＳ３）。具体的には、制御処理部３０は、在庫照会情報及び納期照会情報が提供されている商品について、商品閲覧ページＰ１の検索結果欄Ｃ１にて、対応する在庫ボタンＢＢを表示させる。この際、制御処理部３０は、例えば、仕入先データ管理装置５における在庫照会情報及び納期照会情報の格納場所を各在庫ボタンＢＢのリンク先として設定する。あるいは、制御処理部３０は、各在庫ボタンＢＢを仕入先データ管理装置５上のＣＧＩ（Ｃｏｍｍｏｎ　Ｇａｔｅｗａｙ　Ｉｎｔｅｒｆａｃｅ）プログラムなどにリンクさせてもよい。一方、在庫照会情報及び納期照会情報が提供されない商品については、在庫ボタンＢＢを非表示とする。
【００６０】
すなわち、仕入先データ管理装置５は、複数存在する仕入先のうちの少なくともいずれか１つ以上に配置されていればよい。この場合、仕入先データ管理装置５が配置された仕入先から納入される商品については、在庫照会情報及び納期照会情報が提供される。一方、仕入先データ管理装置５が配置されていない仕入先から納入される商品については、在庫照会情報及び納期照会情報が提供されない。
【００６１】
図１３は、商品閲覧ページＰ１の検索結果欄Ｃ１に表示された在庫ボタンＢＢが押下された場合の処理を示すフローチャートである。
商品販売者などが入力部２１を操作して在庫ボタンＢＢの押下を指示すると（ステップＳ１１）、商品の在庫状況に対する確認要求である在庫確認要求が入力される（ステップＳ１２）。在庫確認要求の入力に応答して、制御処理部２０が通信部２３を制御し、ＷＡＮ７及びインターネット６を介して、押下された在庫ボタンＢＢのリンク先として指定されている仕入先データ管理装置５に対してウェブアクセスする（ステップＳ１３）。これにより、ステップＳ１１にて押下された在庫ボタンＢＢに対応する在庫確認要求が、制御処理部２０から通信部２３により仕入先データ管理装置５へ送られる（ステップＳ１４）。
この際、情報提供端末２が仕入先データ管理装置５にウェブアクセスをした日時を示す情報や、情報提供端末２及び仕入先データ管理装置５のネットワークアドレスなどを示す情報を、記録用のログ情報として情報提供端末２から受付管理ホスト３へ転送し、記憶部３１に記憶させてもよい。
【００６２】
在庫確認要求を受けた仕入先データ管理装置５は、通信部５４により情報提供端末２に所定の動作プログラムを送って実行させるなどして、図１４に示すような注文前在庫照会画面Ｗ１を表示部２２にポップアップ表示させる（ステップＳ１５）。情報提供端末２は、入力部２１から入力された指令に従って、注文前在庫照会画面Ｗ１に表示された情報を、例えば図示せぬプリンタによりプリントアウトするなどして、確認可能に出力してもよい。
この注文前在庫照会画面Ｗ１において、メーカ名やメーカ型番、商品名の他、在庫数量や最終更新日時、納品予定日（納入予定日に対応）などが表示され、在庫や納期に関する情報がリアルタイムに提供される。注文前在庫照会画面Ｗ１において提供されるこれらの情報は、在庫確認要求に対応する商品の在庫照会情報及び納期照会情報に基づいて、仕入先データ管理装置５から情報提供端末２に提供される。
この際、仕入先データ管理装置５において、制御処理部５０が在庫確認要求に含まれる情報提供端末２のネットワークアドレスや識別コードあるいは販社コードなどに基づいて、在庫確認要求を発した情報提供端末２の所在地を特定する。情報提供端末２の所在地を特定した制御処理部５０は、販社の所在地と仕入先の所在地とに基づいて、仕入先に商品が入庫されてから販社に納品されるまでに要する搬送日数を求めることができる。この後、制御処理部５０は、納期照会情報に含まれる入庫予定日を読み取り、その入庫予定日に搬送日数を加えた日付を、納品予定日として注文前在庫照会画面Ｗ１にて提供することができる。
こうした注文前在庫照会画面Ｗ１のポップアップ表示により、情報提供端末２において、商品を注文する時点で最新の仕入先における在庫状況に関する情報を、商品販売者などに提供することができる。
なお、納品予定日を特定するための処理は、在庫確認要求を送った情報提供端末２が、仕入先データ管理装置５のネットワークアドレス等に基づいて実行してもよい。
【００６３】
また、受付端末１において、購買担当者などが入力部１１を操作し、発注する商品の商品コード等を特定して商品の発注指示を入力すると、制御処理部１０は、通信部１３により受付管理ホスト３に発注指示を送らせる。
受付管理ホスト３は、受付端末１から発注指示を受けると、仕入先に商品を発注するための発注情報を作成する。制御処理部３０は、作成した発注情報を発注情報データベース３１Ａに格納しておく。また、受付管理ホスト３は、発注情報データベース３１Ａに格納した発注情報の全部又は一部を、仕入先データ管理装置５に対して開示可能として提供する。これにより、仕入先データ管理装置５には、商品の発注直後から発注情報の全部又は一部が提供されることとなり、発注があった商品の納期を仕入先において素早く回答できるようになる。もっとも、この時点で開示される発注情報は、入庫状況に関する回答を仕入先から取得するために提供されるもので、正式な発注情報については、バッチ処理により発注管理サーバー４に転送させてもよい。
【００６４】
すなわち、予め決められた時刻が到来すると、制御処理部３０は、発注情報データベース３１Ａに格納されている発注情報を取り出し、通信部３２を介して発注管理サーバー４に転送させる。発注管理サーバー４は、受付管理ホスト３から受けた発注情報を仕入先データ管理装置５に転送し、仕入先に正式な発注情報を提供する。発注情報の転送は、例えば、仕入先データ管理装置５が転送命令を発し、発注管理サーバー４がこの転送命令に応答したタイミングで行う。
【００６５】
販社からの商品の発注後に納期を確認する場合、商品販売者などが情報提供端末２の入力部２１を操作し、商品の注文番号等を特定して納期の確認指示を入力する。
図１５は、商品の発注後に納期をリアルタイムに確認可能とするための処理を示すフローチャートである。
【００６６】
商品販売者などが入力部２１を操作して納期の確認指示を入力すると（ステップＳ２１）、制御処理部２０は、通信部２３により受付管理ホスト３に、発注商品の納期についての確認要求である納期確認要求を送らせる（ステップＳ２２）。
情報提供端末２から納期確認要求を受けた受付管理ホスト３は、注文番号をキーとした発注情報データベース３１Ａの検索などにより、対応する仕入先コードを特定するなどして、商品の仕入先を特定する（ステップＳ２３）。この後、受付管理ホスト３は、商品の仕入先に配置された仕入先データ管理装置５に対してインターネット６を介してウェブアクセスし（ステップＳ２４）、確認が指示された商品の納期照会情報を取得する（ステップＳ２５）。
【００６７】
納期照会情報を取得した制御処理部３０は、通信部３２により情報提供端末２に納期照会情報などを送ることにより、情報提供端末２の表示部２２上で発注商品の納期を確認可能に表示させる（ステップＳ２６）。ここで、受付管理ホスト３から仕入先データ管理装置５へは、発注直後からインターネット６を介して発注情報が提供可能となっている。従って、商品の発注直後から、仕入先側にて商品の納期が回答可能となり、発注した販社側では、商品の納期に関する情報をリアルタイムに確認できるようになる。
【００６８】
以上説明したように、この発明によれば、受付管理ホスト３と仕入先データ管理装置５とがインターネット６を介して連携することにより、商品の在庫状況に関する情報や、発注した商品の納期に関する情報を、リアルタイムに提供することができる。
その一方で、商品情報や正式な発注情報については、発注管理サーバー４による管理の下で、例えばバッチ処理により、受付管理ホスト３と仕入先データ管理装置５との間を転送される。これにより、インターネット６を介した通信における伝送容量やマシンスペックの不足によるデータ更新の遅延を回避しつつ、最新の情報を適切に提供することができる。
【００６９】
なお上記実施の形態では、受付端末１と情報提供端末２とを別に設けるものとして説明したが、これを１台の端末装置にて実現するようにしてもよい。すなわち、制御処理部１０、あるいは制御処理部２０が実行するプログラムによる処理の切り換えにより、受付端末１を情報提供端末２として機能させ、また、情報提供端末２を受付端末１として機能させてもよい。
【００７０】
上記実施の形態では、仕入先データ管理装置５が配置されていない仕入先から納入される商品については、在庫照会情報及び納期照会情報が提供されないものとして説明した。しかしながら、この発明はこれに限定されるものではなく、例えば、上述した仕入先データ管理装置５が配置されていない仕入先については、ＥＤＩ（Ｅｌｅｃｔｒｏｎｉｃ　Ｄａｔａ　Ｉｎｔｅｒｃｈａｎｇｅ；電子データ交換）端末を配置し、発注管理サーバー４に在庫照会情報と納期照会情報をアップロードすることにより、受付管理ホスト３が定期的に在庫照会情報と納期照会情報を取得して、情報提供端末２へ提供可能としてもよい。ただし、この場合には、受付管理ホスト３が定期的に在庫照会情報と納期照会情報を取得するのみであるため、仕入先データ管理装置５が配置された仕入先から納入される商品のようなリアルタイムの情報提供は行われない。
【００７１】
上記実施の形態では、納期データベース５１Ｃに格納される納期照会情報が「入庫予定日」及び「入庫予定数量」を含むものとして説明したが、これに限定されるものではない。すなわち、納期照会情報は、商品が納入される予定日が不明である理由を示す「理由コード」を含んでいてもよい。この場合、「理由コード」が示す理由（例えば、品不足、受注過多、等）を具体的に記述する文からなる理由コメントを、その理由コメントを指し示す理由コードに対応付けて、仕入先データ管理装置５の記憶部５１に記憶させてもよい。そして、受付管理ホスト３が仕入先データ管理装置５からインターネット６を介して取得した納期照会情報が理由コードを含む場合には、この理由コードに対応付けられた理由コメントを、納期照会情報と併せて取得し、情報提供端末２にて確認可能に表示させてもよい。
【００７２】
また、上記実施の形態では、情報提供端末２がインターネット６を介して仕入先データ管理装置５にウェブアクセスすることにより、仕入先における商品の在庫状況や納品予定日を示す注文前在庫照会画面Ｗ１を表示可能とするものとして説明した。しかしながら、この発明はこれに限定されるものではない。
例えば、受付管理ホスト３が情報提供端末２から在庫確認要求を受け付け、仕入先データ管理装置５にインターネット６を介してウェブアクセスするようにしてもよい。図１６は、受付管理ホスト３が情報提供端末２から在庫確認要求を受け付ける場合の処理を示すフローチャートである。
【００７３】
図１６のフローチャートに示す処理において、商品販売者などが情報提供端末２の入力部２１を操作して商品閲覧ページＰ１の検索結果欄Ｃ１に表示された在庫ボタンＢＢの押下を指示すると（ステップＳ３１）、その在庫ボタンＢＢに対応する商品の在庫状況に対する確認要求である在庫確認要求が、制御処理部２０から通信部２３により受付管理ホスト３へ送られる（ステップＳ３２）。この在庫確認要求は、例えば、在庫確認要求であることを示す識別コードや商品コード、仕入先コード、情報提供端末２の識別コードなどを含んでいる。
在庫確認要求を受けた受付管理ホスト３は、制御処理部３０が在庫確認要求に含まれる仕入先コードに基づいて商品の仕入先を特定し（ステップＳ３３）、その仕入先に配置された仕入先データ管理装置５に対して、通信部３２によりＷＡＮ７及びインターネット６を介してウェブアクセスする（ステップＳ３４）。制御処理部３０は、アクセスした仕入先データ管理装置５に商品コードを送るなどして、確認が指示された商品の在庫照会情報や納期照会情報を取得する（ステップＳ３５）。
【００７４】
在庫照会情報と納期照会情報を取得した制御処理部３０は、通信部３２により情報提供端末２に所定の動作プログラムを送って実行させるなどして、図１４に示すような注文前在庫照会画面Ｗ１を表示部２２にポップアップ表示させる（ステップＳ３６）。
この際、受付管理ホスト３において、納品予定日を特定するための処理が実行されてもよい。この場合、制御処理部３０は、在庫確認要求に含まれる情報提供端末２の識別コードあるいは販社コードなどに基づいて、在庫確認要求を発した情報提供端末２の所在地を特定する。また、制御処理部３０は、在庫確認要求に含まれる仕入先コードなどに基づいて、商品の仕入先の所在地を特定する。こうして、販社の所在地と仕入先の所在地を特定することで、仕入先に商品が入庫されてから販社に納品されるまでに要する搬送日数を求めることができる。この後、制御処理部３０は、仕入先データ管理装置５から納期照会情報を取得すると、それに含まれる入庫予定日を読み取り、その入庫予定日に搬送日数を加えた日付を、納品予定日として注文前在庫照会画面Ｗ１にて提供することができる。
【００７５】
上記実施の形態では、商品の発注後に納期をリアルタイムに確認可能とするために、受付管理ホスト３が情報提供端末２から納期確認要求を受けて、仕入先データ管理装置５に対してウェブアクセスするものとして説明した。しかしながら、この発明はこれに限定されるものではなく、情報提供端末２がＷＡＮ７及びインターネット６を介して仕入先データ管理装置５にウェブアクセスし、納期確認要求を送って納期照会情報を取得することにより、商品の納期を確認可能に出力するようにしてもよい。
【００７６】
情報提供端末２は、販売店舗に配置された固定の端末装置に限定されるものではなく、例えば、ノートパソコンやＰＤＡ（Ｐｅｒｓｏｎａｌ　Ｄｉｇｉｔａｌ　Ａｓｓｉｓｔａｎｔｓ）といった、受付管理ホスト３との間で通信可能な携帯型の端末装置であってもよい。
【００７７】
受付端末１、情報提供端末２、受付管理ホスト３、発注管理サーバー４及び仕入先データ管理装置５は、専用の装置によらず、通常のコンピュータシステムを用いて実現可能である。すなわち、コンピュータに、上述の処理を実行させるためのプログラムを、記録媒体（ＩＣメモリ、磁気ディスク、光ディスク、光磁気ディスク等）に記録して配布し、これをコンピュータにインストールしてＯＳ（オペレーティングシステム）上で動作させることにより、受付端末１、情報提供端末２、受付管理ホスト３、発注管理サーバー４及び仕入先データ管理装置５として機能させることが可能である。
【００７８】
また、例えば、コンピュータネットワーク上の掲示板（ＢＢＳ；Ｂｕｌｌｅｔｉｎ　Ｂｏａｒｄ　Ｓｙｓｔｅｍ）にこれらのプログラムを掲示し、これを通信回線を介して配信してもよく、また、これらのプログラムを表す信号により搬送波を変調し、得られた変調波を伝送し、この変調波を受信した装置が変調波を復調して該プログラムを復元するようにしてもよい。
そして、これらのプログラムを起動し、ＯＳの制御下に、他のアプリケーションプログラムと同様に実行することにより、上述の処理を実行することができる。
【００７９】
なお、ＯＳが処理の一部を分担する場合、あるいは、ＯＳが本願発明の１つの構成要素の一部を構成するような場合には、記録媒体には、その部分をのぞいたプログラムを格納してもよい。この場合も、この発明では、その記録媒体には、コンピュータが実行する各機能又はステップを実行するためのプログラムが格納されているものとする。
【００８０】
【発明の効果】
このように、この発明によれば、商品の在庫状況や納期に関する情報をリアルタイムに提供することができる。
【図面の簡単な説明】
【図１】この発明のネットワークシステムの構成を示す図である。
【図２】受付端末の構成を示す図である。
【図３】情報提供端末の構成を示す図である。
【図４】受付管理ホストの構成を示す図である。
【図５】発注情報データベースに記憶されるデータの構成を例示する図である。
【図６】商品情報データベースに記憶されるデータの構成を例示する図である。
【図７】発注管理サーバーの構成を示す図である。
【図８】仕入先データ管理装置の構成を示す図である。
【図９】在庫データベースに記憶されるデータの構成を例示する図である。
【図１０】納期データベースに記憶されるデータの構成を例示する図である。
【図１１】商品閲覧ページを例示する図である。
【図１２】商品閲覧ページが作成される際の処理を説明するためのフローチャートである。
【図１３】在庫ボタンが押下された場合の処理を説明するためのフローチャートである。
【図１４】注文前在庫照会画面を例示する図である。
【図１５】商品の発注後に納期を確認可能とする処理を説明するためのフローチャートである。
【図１６】変形例において在庫ボタンが押下された場合の処理を説明するためのフローチャートである。
【符号の説明】
１　　受付端末
２　　情報提供端末
３　　受付管理ホスト
４　　発注管理サーバー
５　　仕入先データ管理装置
６　　インターネット
７　　ＷＡＮ
１０、２０、３０、４０、５０　　制御処理部
１１、２１、５２　　入力部
１２、２２、５３　　表示部
１３、２３、３２、４２、５４　　通信部
３１、４１、５１　　記憶部
３１Ａ　　発注情報データベース
３１Ｂ　　商品情報データベース
５１Ａ　　メール配信プログラム
５１Ｂ　　在庫データベース
５１Ｃ　　納期データベース
ＢＢ　　在庫ボタン
Ｃ１　　検索結果欄
Ｐ１　　商品閲覧ページ
Ｗ１　　注文前在庫照会画面
【図１】
2004115249.tif 000003
【図２】
2004115249.tif 000004
【図３】
2004115249.tif 000005
【図４】
2004115249.tif 000006
【図５】
2004115249.tif 000007
【図６】
2004115249.tif 000008
【図７】
2004115249.tif 000009
【図８】
2004115249.tif 000010
【図９】
2004115249.tif 000011
【図１０】
2004115249.tif 000012
【図１１】
2004115249.tif 000013
【図１２】
2004115249.tif 000014
【図１３】
2004115249.tif 000015
【図１４】
2004115249.tif 000016
【図１５】
2004115249.tif 000017
【図１６】
2004115249.tif 000018